(57)【要約】【課題】ヘッドランプユニットの光軸調整部に対する工具のアクセス動作を簡単な構成でより確実に案内できるようにする。【解決手段】ヘッドランプユニット３の光軸を調整するための光軸調整部２９がフェンダパネル１の下方に配設されるとともに、上記光軸調整部２９に対する調整操作がエンジンルーム側から工具Ｔを介して行われるように構成された自動車の前部構造において、上記ヘッドランプユニット３に対し車幅方向内側に離間したエンジンルーム内の特定部位に、車幅方向に所定の幅を有した車両用部品としてのサブタンク１７を配設するとともに、このサブタンク１７の外壁面のうち車幅方向外端寄りの領域を、上記光軸調整部２９に接近する上記工具Ｔの軌道に沿った傾斜面部４１とし、この傾斜面部４１の一部を含んでなる工具用ガイド部４３により、上記光軸調整部２９に対する工具Ｔのアクセス動作が案内されるように構成する。【選択図】図３
2008230325.tif 000002
【特許請求の範囲】
【請求項１】
ヘッドランプユニットの光軸を調整するための光軸調整部が、エンジンルームの側辺部に沿って延びるフェンダパネルの下方に配設されるとともに、上記光軸調整部に対する調整操作がエンジンルーム側から工具を介して行われるように構成された自動車の前部構造であって、
上記ヘッドランプユニットに対し車幅方向内側に離間したエンジンルーム内の特定部位に、車幅方向に所定の幅を有した車両用部品が配設されるとともに、
上記車両用部品の外壁面のうち車幅方向外端寄りの領域が、上記光軸調整部に接近する上記工具の軌道に沿った傾斜面部とされ、この傾斜面部の一部を含んでなる工具用ガイド部により、上記光軸調整部に対する工具のアクセス動作が案内されるように構成されたことを特徴とする自動車の前部構造。
【請求項２】
請求項１記載の自動車の前部構造において、
上記工具用ガイド部が、上記車両用部品の傾斜面部の一部であって車体前後方向に所定の幅を有した底壁部と、この底壁部の前後端部から上方に突出して上記工具の車体前後方向の移動を規制する前後一対の縦壁部とを有することを特徴とする自動車の前部構造。
【請求項３】
請求項２記載の自動車の前部構造において、
上記工具用ガイド部が、上記一対の縦壁部の上端部どうしを連結する上壁部を有し、この上壁部によって上記工具の車幅方向外側への移動が規制されるように構成されたことを特徴とする自動車の前部構造。
【請求項４】
請求項２または３記載の自動車の前部構造において、
上記車両用部品が樹脂製であり、この樹脂製の車両用部品と一体的に上記工具用ガイド部が形成されたことを特徴とする自動車の前部構造。
【請求項５】
請求項２〜４のいずれか１項に記載の自動車の前部構造において、
上記工具用ガイド部の前後一対の縦壁部どうしの間隔、または上記底壁部と上壁部との間隔が、上記工具の軸径よりも所定量大きく設定されるとともに、上記光軸調整部に、上記工具用ガイド部の設置部の方向に向かって延びる先拡がり状の誘い込み部が設けられたことを特徴とする自動車の前部構造。
【発明の詳細な説明】
【技術分野】
【０００１】
本発明は、ヘッドランプユニットの光軸を調整するための光軸調整部が、エンジンルームの側辺部に沿って延びるフェンダパネルの下方に配設されるとともに、上記光軸調整部に対する調整操作がエンジンルーム側から工具を介して行われるように構成された自動車の前部構造に関する。
【背景技術】
【０００２】
従来、下記特許文献１に示されるように、エンジンルームにブラケットを介してインバータが取り付けられた車両において、上記エンジンルームの内側に、ヘッドランプユニットの光軸を調整するための光軸調整部を設けるとともに、上記インバータ取付用のブラケットに、上記光軸調整部に対しその調整用の工具（例えばドライバー）をアクセス可能とするための開口部を設けることが行われている。
【０００３】
この特許文献１に開示された技術によれば、上記ブラケットの下方等に上記光軸調整部が隠れるような状況下でも、上記ブラケットに設けられた開口部を通じて上記工具を光軸調整部に接近させることができるため、上記ヘッドランプの光軸調整を容易に行えるという利点がある。
【特許文献１】特開２００４−２３１１１５号公報
【発明の開示】
【発明が解決しようとする課題】
【０００４】
しかしながら、上記特許文献１では、一般にプレス加工等によって成形される薄板状のブラケットに開口部が設けられ、この開口部を通じて上記光軸調整部に対する工具のアクセスがなされる構成であるため、この工具を上記光軸調整部まで確実に接近させることが困難になる場合があった。すなわち、上記光軸調整部の設置部からある程度距離が離れた位置に上記開口部が設けられている場合には、上記工具を当該開口部に挿入しつつ上記光軸調整部まで接近させようしたときに、上記開口部の内壁面と工具との隙間等に起因して工具の向きが充分な精度で定まらず、この工具の先端部を上記光軸調整に確実に到達させることができないおそれがあった。
【０００５】
もちろん、例えば上記開口部が設けられる部分のブラケットの厚みを厚くするとともに、この厚板部を貫通するように設けられる上記開口部の内壁面を上記工具の軌道に沿ったものとすることにより、上記工具が光軸調整部まで確実に案内されるように構成することも可能であるが、そのためには上記厚板部の厚みをかなり厚くする必要があり、上記ブラケットの重量の増大やコストアップ等を招く結果となる。
【０００６】
本発明は、上記のような事情に鑑みてなされたものであり、ヘッドランプユニットの光軸調整部に対する工具のアクセス動作を簡単な構成でより確実に案内することが可能な自動車の前部構造を提供することを目的とする。
【課題を解決するための手段】
【０００７】
上記課題を解決するためのものとして、本発明は、ヘッドランプユニットの光軸を調整するための光軸調整部が、エンジンルームの側辺部に沿って延びるフェンダパネルの下方に配設されるとともに、上記光軸調整部に対する調整操作がエンジンルーム側から工具を介して行われるように構成された自動車の前部構造であって、上記ヘッドランプユニットに対し車幅方向内側に離間したエンジンルーム内の特定部位に、車幅方向に所定の幅を有した車両用部品が配設されるとともに、上記車両用部品の外壁面のうち車幅方向外端寄りの領域が、上記光軸調整部に接近する上記工具の軌道に沿った傾斜面部とされ、この傾斜面部の一部を含んでなる工具用ガイド部により、上記光軸調整部に対する工具のアクセス動作が案内されるように構成されたことを特徴とするものである（請求項１）。
【０００８】
本発明によれば、車幅方向に所定の幅を有した車両用部品の外壁面の一領域を、光軸調整部に接近する工具の軌道に沿った傾斜面部とし、この傾斜面部の一部を含んでなる工具用ガイド部により、上記工具のアクセス動作が案内されるように構成したため、従来のように板状のブラケットに工具用の開口部を設けただけの構成と異なり、上記工具の軌道を上記傾斜面部に沿ったより安定した軌道に維持することができ、フェンダパネルの下方にかくれるように配置される上記光軸調整部に上記工具の先端部が確実に到達するように工具を案内することができる。しかも、上記サブタンクの外壁面に形成された傾斜面部を利用した簡単な構成で、上記工具のアクセス動作を案内するようにしたため、部品重量の増大やコストアップ等の問題が生じるのを有効に回避しながら上記ヘッドランプユニットの光軸調整をより容易化できるという利点がある。
【０００９】
上記工具用ガイド部は、上記車両用部品の傾斜面部の一部であって車体前後方向に所定の幅を有した底壁部と、この底壁部の前後端部から上方に突出して上記工具の車体前後方向の移動を規制する前後一対の縦壁部とを有することが好ましい（請求項２）。
【００１０】
この構成によれば、工具用ガイド部の縦壁部によって上記工具の車体前後方向の移動を規制することにより、上記光軸調整部に対する工具のアクセス動作をより正確な精度で案内することができ、ヘッドランプユニットに対する光軸調整の作業性をより効果的に向上させることができるというという利点がある。
【００１１】
この場合、上記工具用ガイド部が、上記一対の縦壁部の上端部どうしを連結する上壁部を有し、この上壁部によって上記工具の車幅方向外側への移動が規制されるように構成されていることがより好ましい（請求項３）。
【００１２】
このようにすれば、上記工具用ガイド部の上壁部によって上記工具の車幅方向外側への移動を規制することができ、上記光軸調整部に対する工具のアクセス動作をさらに正確な精度で案内できるという利点がある。
【００１３】
上記車両用部品が樹脂製である場合、上記工具用ガイド部はこの樹脂製の車両用部品と一体的に形成されていることが好ましい（請求項４）。
【００１４】
このようにすれば、上記車両用部品と工具用ガイド部とを樹脂の一体成形によって同時に形成することができるため、上記工具用ガイド部を追設することによるコストの上昇を最小限に抑制できるという利点がある。
【００１５】
また、上記構成においては、上記工具用ガイド部の前後一対の縦壁部どうしの間隔、または上記底壁部と上壁部との間隔が、上記工具の軸径よりも所定量大きく設定されるとともに、上記光軸調整部に、上記工具用ガイド部の設置部の方向に向かって延びる先拡がり状の誘い込み部が設けられていることが好ましい（請求項５）。
【００１６】
このようにすれば、上記車両用部品の組み付け誤差等に起因して上記工具用ガイド部と光軸調整部との位置関係にある程度のずれが生じたような場合でも、上記光軸調整部に上記工具の先端部を確実に到達させることができる。
【発明の効果】
【００１７】
以上説明したように、本発明の自動車の前部構造によれば、ヘッドランプユニットの光軸調整部に対する工具のアクセス動作を簡単な構成でより確実に案内することができる。
【発明を実施するための最良の形態】
【００１８】
図１〜図３は、本発明にかかる自動車の前部構造の一実施形態を示している。この自動車の前部構造は、車体前部（フロントボディ）の左右両側の外板面を構成する一対のフェンダパネル１，１と、車体の前端部の外板面を構成するバンパーフェース２と、上記各フェンダパネル１，１の前方に配設された左右一対のヘッドランプユニット３，３とを有している。なお、図１において符号４はボンネットフード、５はフロントグリルである。
【００１９】
上記フェンダパネル１は、エンジンルームの側辺部に沿って車体の前後方向に延びるように設置され、その前方部に、上記ヘッドランプユニット３の上辺部に沿うような形状に形成された延出部１ａを有している。この延出部１ａの下方（裏面側）には、主に図３に示すように（図３ではフェンダパネル１は取り外されている）、シュラウド支持メンバ７が配設されており、このシュラウド支持メンバ７の前端部に、上記延出部１ａの前端部がボルト締結等の手段によって固定されるようになっている。
【００２０】
図２および図３に示すように、エンジンルームの前端部には、ラジエータ等からなる熱交換器（図示省略）を支持するためのシュラウドパネル１１が設置されている。上記シュラウド支持メンバ７は、このシュラウドパネル１１の上部側方を支持するものであり、エンジンルームの側辺部に沿って延びる強度部材としてのエプロンアッパメンバ１３の前端部からヘッドランプユニット３の上部後方を通って車体の前方側に延びるように設置され、その前端部が上記シュラウドパネル１１の上部側方にボルト締結等の手段によって固定されている。なお、図２および図３において符号１５は、フロントサスペンションの上端部が取り付けられるフロントサスタワーである。
【００２１】
上記シュラウド支持メンバ７近傍のエンジンルーム内には、上記熱交換器（図示省略）に用いられる冷却水を一時的に貯蔵するためのサブタンク１７が、上記ヘッドランプユニット３に対し車幅方向内側に離間した状態で配設されている。このサブタンク１７は、その前端部および後端部に取付辺部１８，１９を有しており、これら各取付辺部１８，１９が、上記シュラウド支持メンバ７およびフロントサスタワー１５に対しボルト締結等の手段によって固定されることにより、エンジンルーム内においてこれら両部材７，１５の間を橋渡すような状態で取り付けられている。なお、サブタンク１７の外壁部の所定部位には、上記熱交換器から延びる配管２０，２１がそれぞれ接続されており、これら各配管２０，２１を介して、上記サブタンク１７と熱交換器との間で冷却水が循環するようになっている。
【００２２】
図４〜図６に示すように、上記サブタンク１７は、アッパーケース３９とロアケース４０とを有した上下２分割構造とされ、その内部に上記冷却水を貯蔵するための貯蔵空間を有している。これらアッパーケース３９およびロアケース４０は、樹脂製の一体成形品によって構成されている。
【００２３】
上記サブタンク１７のアッパーケース３９は、図３〜図６に示すように、その外壁面における車幅方向外端寄りの領域に、外端側に至るほど高さが低くなるように形成された傾斜面部４１を有している。この傾斜面部４１は、上記ヘッドランプユニット３の光軸調整用に設けられる後述する光軸調整部２９の設置部に向かって斜め下方に延びており、エンジンルーム側から上記光軸調整部２９に接近する工具Ｔ（図例ではドライバー）の軌道に沿うように形成されている。そして、上記アッパーケース３９には、この傾斜面部４１の一部を含んだ所定の壁部（詳細は後述する）からなるトンネル状の工具用ガイド部４３が設けられており、上記光軸調整部２９に接近する工具Ｔの軸部Ｔａがこの工具用ガイド部４３に挿入されることにより、上記光軸調整部２９に対する工具Ｔのアクセス動作が案内されるようになっている。
【００２４】
図８に示すように、上記ヘッドランプユニット３は、車体の前方側に開口する断面視コ字状のヘッドランプハウジング２２と、このヘッドランプハウジング２２の前方側に取り付けられたガラス製もしくは透明樹脂製のアウターレンズ２３とを有している。上記ヘッドランプハウジング２２の内部には、ハロゲン電球もしくはＨＩＤバルブ等からなる発光バルブ２４と、この発光バルブ２４の周囲を取り囲むリフレクタ２５とが配設されており、上記発光バルブ２４からの光が上記リフレクタ２５の内壁面で反射されつつ開口部２６を通じて前方に照射されるようになっている。また上記リフレクタ２５は、上記ヘッドランプハウジング２３の内部に図略のピボット機構等を介して揺動自在に支持されている。
【００２５】
このように構成されたヘッドランプユニット３は、上述したように、その光軸が光軸調整部２９によって調整される。この光軸調整部２９は、図３〜図６および図８に示すように、上記ヘッドランプハウジング２２の後壁部から後方側に突出して上記フェンダパネル１およびシュラウド支持メンバ７の下方に位置するように配設されており、エンジンルーム内のサブタンク１７側から延びる上記工具Ｔによって操作される。そして、光軸調整部２９は、当該工具Ｔによる操作に応じて上記ヘッドランプユニット３のリフレクタ２５を揺動変位させ、これによって上記ヘッドランプユニット３の光軸を上下もしくは左右に変化させるように構成されている。
【００２６】
具体的に、上記光軸調整部２９は、上記工具Ｔによって回転駆動される第１のかさ歯車３１およびこれと連動可能に噛み合わされた第２のかさ歯車３２等からなるギア機構と、このギア機構を収容するギアケース３３と、上記第２のかさ歯車３２の中心部に止着されてこれと一体に回転する回転軸３５とを有している。なお図７では、第１のかさ歯車３１を省略して示している。上記回転軸３５は、ヘッドランプハウジング２２の後壁部を貫通してその内部まで延びており、この回転軸３５の回転に応じて進退駆動される図略のプッシュロッド等を介して上記リフレクタ２５の特定部位を押し引きするように構成されている。そして、このようにリフレクタ２５がプッシュロッドを介して駆動されることにより、このリフレクタ２５が揺動変位してその開口部２６の向きが上下もしくは左右に変化するようになっている。
【００２７】
図４、図６、および図７に示すように、上記サブタンク１７のアッパーケース３９に設けられた上記工具用ガイド部４３は、アッパーケース３９に形成された上記傾斜面部４１の一部であって車体前後方向に所定の幅を有した底壁部４５と、この底壁部４５の前後端部から上方に突出する前後一対の縦壁部４６，４６と、これら一対の縦壁部４６，４６の上端部どうしを連結する上壁部４７とを有したトンネル状の部材からなり、これら各壁部４５〜４７によって囲まれた空間に上記工具Ｔの軸部Ｔａが挿入されるようになっている。このような工具用ガイド部４３は、樹脂成形品からなる上記アッパーケース３９と一体的に形成されている。
【００２８】
なお、上記工具用ガイド部４３は、図６に示すように、上記各縦壁部４６，４６を延長するように形成された一対の延出部４６ａ，４６ａを有している。これら一対の延出部４６ａ，４６ａは、上面視でハ字形の先拡がり状に形成されて車幅方向の内方側へと延びており、上記各壁部４５〜４７によって囲まれた空間に上記工具Ｔを誘い込む役割を果たすように構成されている。
【００２９】
上記工具Ｔは、その軸部Ｔａが上記のように工具用ガイド部４３に挿入されることにより、上記傾斜面部４１に沿って一定の軌道を通りながら上記光軸調整部２９にアクセスするように案内される。具体的に、上記工具用ガイド部４３に挿入された工具Ｔは、その軸部Ｔａの車体前後方向への移動が上記一対の縦壁部４６，４６によって規制されるとともに、上記軸部Ｔａの車幅方向外側への移動が上記上壁部４７によって規制されることにより、上記光軸調整部２９に向かって一定の軌道を通るように案内される。
【００３０】
ただし、図７に示すように、上記工具用ガイド部４３における上記一対の縦壁部４６，４６どうしの間隔、および、上記底壁部４５と上壁部４７との間隔は、上記工具Ｔの軸部Ｔａの軸径よりも所定量大きく設定されており、これら各壁部４５〜４７と上記軸部Ｔａとの間にある程度の隙間が形成されるようになっている。したがって、上記各壁部４５〜４７に囲まれた空間内に上記軸部Ｔａが挿入された状態においても、上記工具Ｔは径方向にある程度移動することが可能である。
【００３１】
図４〜図６に示すように、上記光軸調整部２９のギアケース３３には、上記工具用ガイド部４３の設置部の方向に向かって延びる先拡がり状の誘い込み部５２が設けられている。具体的に、この誘い込み部５２は、上記ギアケース３３の内部に連通する孔を有しており、その孔の口径が先端側に至るほど大きくなるように形成された漏斗状の部材によって構成されている。このような構造の誘い込み部５２は、上記工具用ガイド部４３を通過しながら径方向にある程度の誤差範囲をもって接近してくる上記工具Ｔに対し、その軸部Ｔａの先端部を上記ギアケース３３の内部に誘い込んで上記第１のかさ歯車３１の設置部に案内する役割を果たすように構成されている。
【００３２】
上記のようにヘッドランプユニット３の光軸を調整するための光軸調整部２９が、エンジンルームの側辺部に沿って延びるフェンダパネル１の下方に配設されるとともに、上記光軸調整部２９に対する調整操作がエンジンルーム側から工具Ｔを介して行われるように構成された自動車の前部構造において、上記ヘッドランプユニット３に対し車幅方向内側に離間したエンジンルーム内の特定部位に、車幅方向に所定の幅を有したサブタンク１７を配設するとともに、このサブタンク１７の外壁面のうち車幅方向外端寄りの領域を、上記光軸調整部２９に接近する上記工具Ｔの軌道に沿った傾斜面部４１とし、この傾斜面部４１の一部を含んでなる工具用ガイド部４３により、上記光軸調整部２９に対する工具Ｔのアクセス動作が案内されるようにした上記実施形態の構成によれば、上記光軸調整部２９に対する工具Ｔのアクセス動作を簡単な構成でより確実に案内できるという利点がある。
【００３３】
すなわち、上記実施形態によれば、車幅方向に所定の幅を有したサブタンク１７のアッパーケース３９における外壁面の一領域を、光軸調整部２９に接近する工具Ｔの軌道に沿った傾斜面部４１とし、この傾斜面部４１の一部を含んでなる工具用ガイド部４３より、上記工具Ｔのアクセス動作が案内されるように構成したため、従来のように板状のブラケットに工具用の開口部を設けただけの構成と異なり、上記工具Ｔの軌道を上記傾斜面部４１に沿ったより安定した軌道に維持することができ、フェンダパネル１の下方にかくれるように配置される上記光軸調整部２９に上記工具Ｔの先端部が確実に到達するように工具Ｔを案内することができる。しかも、上記サブタンク１７の外壁面に形成された傾斜面部４１を利用した簡単な構成で、上記工具Ｔのアクセス動作を案内するようにしたため、部品重量の増大やコストアップ等の問題が生じるのを有効に回避しながら上記ヘッドランプユニット３の光軸調整をより容易化できるという利点がある。
【００３４】
特に、上記実施形態のように、工具用ガイド部４３を、上記アッパーケース３９の傾斜面部４１の一部であって車体前後方向に所定の幅を有した底壁部４５と、この底壁部４５の車後端部から上方に突出する前後一対の縦壁部４６，４６とを有するように構成し、上記縦壁部４６，４６によって工具Ｔの車体前後方向の移動を規制するようにした場合には、上記光軸調整部２９に対する工具Ｔのアクセス動作をより正確な精度で案内することができ、ヘッドランプユニット３に対する光軸調整の作業性をより効果的に向上させることができるというという利点がある。
【００３５】
さらに、上記実施形態では、工具用ガイド部４３に、その前後一対の縦壁部４６，４６の上端部どうしを連結する上壁部４７を設けたため、上記工具Ｔが車幅方向外側に移動するのをこの上壁部４７によって規制することができ、上記光軸調整部２９に対する工具Ｔのアクセス動作をさらに正確な精度で案内できるという利点がある。
【００３６】
また、上記実施形態のように、サブタンク１７のアッパーケース３９を樹脂製部材によって構成し、この樹脂製のアッパーケース３９と一体的に上記工具用ガイド部４３を形成した場合には、これらアッパーケース３９と工具用ガイド部４３とを樹脂の一体成形によって同時に形成することができるため、上記工具用ガイド部４３を追設することによるコストの上昇を最小限に抑制できるという利点がある。
【００３７】
また、上記実施形態では、上記工具用ガイド部４３の前後一対の縦壁部４６，４６どうしの間隔、および底壁部４５と上壁部４７との間隔を、上記工具Ｔにおける軸部Ｔａの軸径よりも所定量大きく設定するとともに、上記光軸調整部２９に、上記工具用ガイド部４３の設置部の方向に向かって延びる先拡がり状の誘い込み部５２を設けたため、サブタンク１７の組み付け誤差等に起因して上記工具用ガイド部４３と光軸調整部２９との位置関係にある程度のずれが生じたような場合でも、上記工具用ガイド部４３の各壁部４５〜４７と工具Ｔとの径方向の隙間を利用して上記のような位置ずれを吸収することができるとともに、このように工具用ガイド部４３を通過しながら径方向にある程度の誤差範囲をもって接近してくる上記工具Ｔの先端部を、上記誘い込み部５２によって誘い込みながら上記光軸調整部２９に確実に到達させることができる。
【００３８】
すなわち、上記工具用ガイド部４３が設けられるサブタンク１７の組み付け位置と、上記光軸調整部２９の設置部との相対的な位置関係は、サブタンク１７の組み付け誤差等によってある程度ずれることがあるため、上記工具用ガイド部４３の縦壁部４６，４６どうしの間隔や底壁部４５と上壁部４７との間隔が上記軸部Ｔａの軸径と略同一に設定されると、上記工具Ｔの軌道を径方向にほとんど修正することができず、上記組み付け誤差の大きさ等によっては、上記光軸調整部２９に工具Ｔの先端部を到達させることができなくなる。これに対し、上記のように工具用ガイド部４３の各壁部の間隔を上記軸部Ｔａの軸径よりも所定量大きくして両者の間にある程度の隙間が生じるようにした場合には、上記工具Ｔの軌道を径方向にある程度修正しながらこの工具Ｔを上記光軸調整部２９に接近させることができるため、上記のような位置ずれが存在する状況下でも、上記工具Ｔの先端部を光軸調整部２９に問題なく到達させることができる。
【００３９】
しかもこの場合において、上記工具Ｔの先端部を誘い込むための誘い込み部５２を上記光軸調整部２９に設け、工具Ｔの最終的な位置決めをこの光軸調整部２９の直近で行うようにしたため、上記のように工具用ガイド部４３を通過しながら径方向にある程度の誤差範囲をもって接近してくる上記工具Ｔの先端部を、上記誘い込み部５２によって誘い込みながら上記光軸調整部２９に確実に到達させることができる。
【００４０】
なお、上記実施形態では、熱交換器用のサブタンク１７に上記工具用ガイド部４３を設けたが、このような工具用ガイド部４３は、ヘッドランプユニット３近傍のエンジンルーム内に配設される車両用部品であればこのようなサブタンク１７に限らず、各種部品に設けることが可能である。例えば、フロントウィンドガラスを洗浄するウォッシャー液を貯蔵するためのウォッシャータンクが上記サブタンク１７と同様の箇所に配設される場合には、このウォッシャータンクに上記工具用ガイド部４３を設けてもよい。
【図面の簡単な説明】
【００４１】
【図１】本発明の一実施形態にかかる自動車の前部構造が適用された車両の外観を示す斜視図である。
【図２】上記自動車の前部構造の全体構成を示す平面図である。
【図３】上記自動車の前部構造における要部を拡大して示す平面図であり、図２においてフェンダパネルを取り外した状態を示す図である。
【図４】図２のIV−IV線に沿った断面図である。
【図５】ヘッドランプユニットとサブタンクとを後方側から見た図である。
【図６】サブタンクの斜視図である。
【図７】図３のVII−VII線に沿った断面図である。
【図８】図５のVIII−VIII線に沿った断面図である。
【符号の説明】
【００４２】
１  フェンダパネル
３  ヘッドランプユニット
１７  サブタンク（車両用部品）
２９  光軸調整部
４１  傾斜面部
４３  工具用ガイド部
４５  底壁部
４６  縦壁部
４７  上壁部
５２  誘い込み部
Ｔ  工具
【図１】
2008230325.tif 000003
【図２】
2008230325.tif 000004
【図３】
2008230325.tif 000005
【図４】
2008230325.tif 000006
【図５】
2008230325.tif 000007
【図６】
2008230325.tif 000008
【図７】
2008230325.tif 000009
【図８】
2008230325.tif 000010